(57)【要約】【課題】洗管ピグで水道管の内面を効率よく洗浄しながら、水道管に連結している分岐管にスムーズに移送して、詰まらないように取り出しする。【解決手段】水道管の洗浄方法は、水道管１に連結している送り込み側の分岐管２から洗管ピグ３を挿入し、加圧流体を分岐管２に供給して、この加圧流体で洗管ピグ３を分岐管２から水道管１内に移送し、さらに加圧流体でもって水道管１に洗管ピグ３を圧送して、洗管ピグ３でもって水道管１の内面を擦り洗いし、水道管１を擦り洗いした洗管ピグ３を、水道管１から取り出し側の分岐管２に移送して、この取り出し側の分岐管２から外部に取り出す。さらに、洗浄方法は、取り出し側の分岐管２から水道管１の連結部９に向かって、洗管ピグ３を移送する湾曲ガイド４１を有するガイドベラ４０を挿入し、このガイドベラ４０に沿って洗管ピグ３を移送して、水道管１から取り出し側の分岐管２に移送する。【選択図】図３
2008175046.tif 000002
【特許請求の範囲】
【請求項１】
水道管(1)に連結している送り込み側の分岐管(2)から弾性変形する洗管ピグ(3)を挿入し、挿入された洗管ピグ(3)を圧送する加圧流体を分岐管(2)に供給して、この加圧流体で洗管ピグ(3)を分岐管(2)から水道管(1)内に移送し、さらに加圧流体でもって水道管(1)に洗管ピグ(3)を圧送して、洗管ピグ(3)でもって水道管(1)の内面を擦り洗いし、水道管(1)を擦り洗いした洗管ピグ(3)を、水道管(1)から取り出し側の分岐管(2)に移送して、この取り出し側の分岐管(2)から外部に取り出す水道管の洗浄方法であって、
取り出し側の分岐管(2)から水道管(1)の連結部(9)に向かって、洗管ピグ(3)を水道管(1)から取り出し側の分岐管(2)に移送する湾曲ガイド部(41)を有するガイドベラ(40)を挿入し、このガイドベラ(40)に沿って洗管ピグ(3)を移送して、水道管(1)から取り出し側の分岐管(2)に移送する水道管の洗浄方法。
【請求項２】
水道管(1)に連結している送り込み側の分岐管(2)から弾性変形する洗管ピグ(3)を挿入し、挿入された洗管ピグ(3)を圧送する加圧流体を分岐管(2)に供給して、この加圧流体で洗管ピグ(3)を分岐管(2)から水道管(1)内に移送し、さらに加圧流体でもって水道管(1)に洗管ピグ(3)を圧送して、洗管ピグ(3)でもって水道管(1)の内面を擦り洗いし、水道管(1)を擦り洗いした洗管ピグ(3)を、水道管(1)から取り出し側の分岐管(2)に移送して、この取り出し側の分岐管(2)から外部に取り出す水道管の洗浄方法であって、
送り込み側の分岐管(2)から水道管(1)の連結部(9)に向かって、洗管ピグ(3)を送り込み側の分岐管(2)から水道管(1)に移送する湾曲ガイド部(41)を有するガイドベラ(40)を挿入し、このガイドベラ(40)に沿って洗管ピグ(3)を移送して、送り込み側の分岐管(2)から水道管(1)に移送する水道管の洗浄方法。
【請求項３】
送り込み側の分岐管(2)から地中に埋設している水道管(1)内に移送され、さらに水道管(1)から取り出し側の分岐管(2)に移送されて、水道管(1)の内面を擦り洗いする洗管ピグ(3)を水道管(1)から取り出し側の分岐管(2)に移送するガイドベラであって、
ガイドベラが、取り出し側の分岐管(2)から水道管(1)に向かって挿入されて、取り出し側の分岐管(2)から水道管(1)の底面に沿って湾曲する湾曲ガイド部(41)を先端に有し、この湾曲ガイド部(41)に沿って洗管ピグ(3)を移送して、水道管(1)から取り出し側の分岐管(2)に移送するようにしてなる洗管ピグのガイドベラ。
【請求項４】
送り込み側の分岐管(2)から地中に埋設している水道管(1)内に移送され、さらに水道管(1)から取り出し側の分岐管(2)に移送されて、水道管(1)の内面を擦り洗いする洗管ピグ(3)を送り込み側の分岐管(2)から水道管(1)に移送するガイドベラであって、
ガイドベラが、送り込み側の分岐管(2)から水道管(1)に向かって挿入されて、送り込み側の分岐管(2)から水道管(1)の底面に沿って湾曲する湾曲ガイド部(41)を先端に有し、この湾曲ガイド部(41)に沿って洗管ピグ(3)を移送して、送り込み側の分岐管(2)から水道管(1)に移送するようにしてなる洗管ピグのガイドベラ。
【請求項５】
ガイドベラが分岐管(2)と水道管(1)の内面に沿う溝型に湾曲する請求項３または４に記載される洗管ピグのガイドベラ。
【請求項６】
ガイドベラが弾性変形する板材である請求項３または４に記載する洗管ピグのガイドベラ。
【請求項７】
前記湾曲ガイド部(41)が、縦に伸びる複数の切り込み(46)でもって複数の櫛片(47)に分割されており、複数の櫛片(47)は、後端から先端に向かって次第に切り込み(46)の横幅を広くする形状に弾性的に拡開されており、櫛片(47)の切り込み幅を狭くして湾曲ガイド部(41)が分岐管(2)から水道管(1)に挿入され、水道管(1)に挿入される状態で櫛片(47)の拡開された湾曲ガイド部(41)が、水道管(1)から分岐管(2)に、また分岐管(2)から水道管(1)に洗管ピグ(3)を案内するようにしてなる請求項３又は４に記載される洗管ピグのガイドベラ。
【発明の詳細な説明】
【技術分野】
【０００１】
本発明は、地中に埋設している水道管に洗管ピグを圧送して、洗管ピグでもって水道管の内面を擦り洗いする洗浄方法と、この方法に使用する洗管ピグのガイドベラに関する。
【背景技術】
【０００２】
地中の水道管に洗管ピグを挿入し、これを水道水で圧送して水道管の内面を擦り洗いする方法とこれに使用する洗管ピグは開発されている。（特許文献１ないし４参照）
【特許文献１】特開平１０−３１４６８９号公報
【特許文献２】特開平１１−２５３９０２号公報
【特許文献３】特開平９−２６８６４２号公報
【特許文献４】特開平９−２６８６４３号公報
【発明の開示】
【発明が解決しようとする課題】
【０００３】
これらの特許文献に記載される洗浄方法は、洗管ピグを水道管内に圧送して、洗管ピグの表面で水道管の内面を擦って洗浄する。この方法は、簡単に地中の水道管を洗浄できる。ただ、この洗浄方法は、水道管に洗管ピグを入れるために、水道管に挿入管と排出管を連結している。挿入管と排出管を連結するために、地面を掘り起こして水道管を地上に表出し、この状態で水道管に挿入管と排出管を連結する必要があり、この工程に非常に手間がかかる欠点がある。
【０００４】
本発明の第１の目的はこの欠点を解決することにある。すなわち、水道管に連結している分岐管を利用して、水道管に洗管ピグを挿入し、また水道管から洗管ピグを取り出しして、極めて簡単かつ容易に、しかも能率よく水道管を洗浄する水道管の洗浄方法と、この方法に使用する洗管ピグのガイドベラを提供することにある。
【０００５】
以上の目的を達成するために、水道管にすでに連結している消火栓や空気管等の分岐管を利用して洗管ピグを水道管に挿入し、また水道管に連結している分岐管から洗管ピグを取り出す方法が考えられる。この方法は、水道管に直交するように連結している分岐管から洗管ピグを挿入し、また取り出すので、分岐管から水道管に、また水道管から分岐管に洗管ピグを詰まらないように移送するのが難しい。とくに、水道管に連結される分岐管は、必ずしも水道管の内径と同じとは限らず、多くの場合は水道管よりも細い。たとえば、水道管に連結してる分岐管である消火栓は、そのほとんどが内径を７５ｍｍとするものであって、水道管よりも細い。このため、水道管にすでに連結している分岐管を利用して、洗管ピグを出し入れする方法は、細い分岐管から太い水道管に洗管ピグを入れ、水道管を洗浄した後、洗管ピグを太い水道管から細い分岐管に移送する必要があるので、分岐管と水道管との境界で洗管ピグが詰まりやすい。とくに、太い水道管から細い分岐管に洗管ピグを移送するのが極めて難しい。このため、洗管ピグを、水道管には移送できても、水道管から細い分岐管には移送できず、この部分で詰まって簡単に取り出しできない。
【０００６】
とくに、洗管ピグは、水道管の内面を洗管ピグで効率よく擦り洗いするために、洗管ピグの表面を水道管の内面に要求される圧力で押圧しながら圧送する必要がある。洗管ピグの圧力が弱いと、効率よく擦り洗いできなくなるからである。このことを実現するために、弾性変形できる洗管ピグは外径を水道管よりも太くしている。また、弾性変形する洗管ピグを柔軟にすると、水道管の内面を押圧する圧力が低下して効率よく擦り洗いできなくなる。したがって、弾性変形する洗管ピグには水道管よりも太く、しかも強い弾性で水道管の内面に押圧する弾性材、いいかえると柔軟でない弾性材を使用する。この状態の洗管ピグは、太い水道管から細い分岐管への移送をさらに難しくする。洗管ピグを柔軟にして水道管から細い分岐管に移送しやすくできるが、擦り洗いする能力が低下する。すなわち、洗管ピグが水道管を洗浄する能力と、水道管から分岐管に移送できることは互いに相反する特性となり、両方を満足することはできない。このため、水道管にすでに連結している消火栓や空気管を利用して洗管ピグを水道管に挿入し、また水道管から洗管ピグを取り出して水道管を洗浄する方法は、実現できていないのが実状である。
【０００７】
本発明の第２の目的はこのことを実現すること、すなわち洗管ピグで水道管の内面を効率よく洗浄しながら、水道管に連結している分岐管にスムーズに移送して、簡単に能率よく、しかも詰まらないように取り出しできる水道管の洗浄方法とこれに使用する洗管ピグのガイドベラを提供することにある。
【課題を解決するための手段】
【０００８】
本発明の水道管の洗浄方法は、前述の目的を達成するために以下の構成を備える。
水道管の洗浄方法は、水道管１に連結している送り込み側の分岐管２から弾性変形する洗管ピグ３を挿入し、挿入された洗管ピグ３を圧送する加圧流体を分岐管２に供給して、この加圧流体で洗管ピグ３を分岐管２から水道管１内に移送し、さらに加圧流体でもって水道管１に洗管ピグ３を圧送して、洗管ピグ３でもって水道管１の内面を擦り洗いし、水道管１を擦り洗いした洗管ピグ３を、水道管１から取り出し側の分岐管２に移送して、この取り出し側の分岐管２から外部に取り出す。
【０００９】
さらに、本発明の請求項１の水道管の洗浄方法は、取り出し側の分岐管２から水道管１の連結部９に向かってガイドベラ４０を挿入する。このガイドベラ４０は、洗管ピグ３を水道管１から取り出し側の分岐管２に移送する湾曲ガイド部４１を有する。この洗浄方法は、ガイドベラ４０に沿って洗管ピグ３を移送して、水道管１から取り出し側の分岐管２に移送する。
【００１０】
また、本発明の請求項２の水道管の洗浄方法は、送り込み側の分岐管２から水道管１の連結部９に向かってガイドベラ４０を挿入する。このガイドベラ４０は、洗管ピグ３を送り込み側の分岐管２から水道管１に移送する湾曲ガイド部４１を有する。この洗浄方法は、ガイドベラ４０に沿って洗管ピグ３を移送して、送り込み側の分岐管２から水道管１に移送する。
【００１１】
本発明の請求項３の洗管ピグのガイドベラは、送り込み側の分岐管２から地中に埋設している水道管１内に移送され、さらに水道管１から取り出し側の分岐管２に移送されて、水道管１の内面を擦り洗いする洗管ピグ３を水道管１から取り出し側の分岐管２に移送する。ガイドベラは、取り出し側の分岐管２から水道管１に向かって挿入されて、取り出し側の分岐管２から水道管１の底面に沿って湾曲する湾曲ガイド部４１を先端に有し、この湾曲ガイド部４１に沿って洗管ピグ３を移送して、水道管１から取り出し側の分岐管２に移送する。
【００１２】
本発明の請求項４の洗管ピグのガイドベラは、送り込み側の分岐管２から地中に埋設している水道管１内に移送され、さらに水道管１から取り出し側の分岐管２に移送されて、水道管１の内面を擦り洗いする洗管ピグ３を送り込み側の分岐管２から水道管１に移送する。ガイドベラは、送り込み側の分岐管２から水道管１に向かって挿入されて、送り込み側の分岐管２から水道管１の底面に沿って湾曲する湾曲ガイド部４１を先端に有し、この湾曲ガイド部４１に沿って洗管ピグ３を移送して、送り込み側の分岐管２から水道管１に移送する。
【００１３】
本発明の請求項５の洗管ピグのガイドベラは、請求項３または４の構成に加えて、ガイドベラを、分岐管２と水道管１の内面に沿う溝型に湾曲している。
【００１４】
本発明の請求項６の洗管ピグのガイドベラは、請求項３または４の構成に加えて、ガイドベラを、弾性変形する板材としている。
【００１５】
本発明の請求項７の洗管ピグのガイドベラは、請求項３または４の構成に加えて、湾曲ガイド部４１を、縦に伸びる複数の切り込み４６でもって複数の櫛片４７に分割している。複数の櫛片４７は、後端から先端に向かって次第に切り込み４６の横幅を広くする形状に弾性的に拡開している。このガイドベラは、櫛片４７の切り込み幅を狭くして湾曲ガイド部４１を分岐管２から水道管１に挿入し、水道管１に挿入される状態で櫛片４７の拡開された湾曲ガイド部４１が、水道管１から分岐管２に、また分岐管２から水道管１に洗管ピグ３を案内する。
【発明の効果】
【００１６】
本発明の水道管の洗浄方法は、水道管に連結している分岐管を利用して、水道管に洗管ピグを挿入し、また水道管から洗管ピグを取り出しして、極めて簡単かつ容易に、しかも能率よく水道管を洗浄できる特長がある。それは、本発明の水道管の洗浄方法が、水道管から取り出し側の分岐管に洗管ピグを移送し、あるいは送り込み側の分岐管から水道管に洗管ピグを移送する湾曲ガイド部のあるガイドベラを、分岐管から水道管に向かって挿入し、湾曲ガイド部でもって洗管ピグを水道管から分岐管に、あるいは分岐管から水道管に移送するからである。
【００１７】
本発明の洗浄方法は、水道管にすでに連結している分岐管を利用して洗管ピグを水道管に挿入し、また水道管から洗管ピグを取り出しするので、簡単かつ容易に、しかも能率良く水道管を洗浄できる。さらに、本発明の洗浄方法は、従来のように、地中に埋まった水道管を掘り起こして水道管を表出させた後、水道管に洗管ピグの挿入管や排出管を連結する必要がないので、地中に埋められた水道管にダメージを与えることなく水道管を洗浄できる特長もある。
【００１８】
さらに、本発明の洗浄方法とガイドベラは、水道管の内面を効率よく洗浄しながら、水道管から細い分岐管にスムーズに洗管ピグを移送して、簡単に能率よく、しかも詰まらないように取り出しできる特長がある。それは、本発明が、分岐管から水道管に向かってガイドベラを挿入し、このガイドベラの湾曲ガイド部でもって、洗管ピグを水道管から分岐管に、あるいは分岐管から水道管に詰まらないように移送するからである。
【００１９】
さらに、本発明の請求項７の洗管ピグのガイドベラは、太い水道管であっても、水道管から分岐管に、また分岐管から水道管に確実に洗管ピグを案内できる特長がある。それは、このガイドベラが、湾曲ガイド部を、縦に伸びる複数の切り込みでもって複数の櫛片に分割し、複数の櫛片を後端から先端に向かって次第に切り込みの横幅を広くする形状に弾性的に拡開しているからである。この構造のガイドベラは、櫛片の切り込み幅を狭くする状態で、湾曲ガイド部を分岐管から水道管に挿入し、水道管に挿入される状態では、複数の櫛片を水道管内で拡開させる。したがって、このガイドベラは、水道管内で拡開される湾曲ガイド部でもって、太い水道管から細い分岐管に洗管ピグをスムーズに案内でき、また、細い分岐管から太い水道管に洗管ピグをスムーズに案内できる。
【発明を実施するための最良の形態】
【００２０】
以下、本発明の実施例を図面に基づいて説明する。ただし、以下に示す実施例は、本発明の技術思想を具体化するための水道管の洗浄方法とこの方法に使用する洗管ピグのガイドベラを例示するものであって、本発明は洗浄方法とガイドベラを以下に特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図１に示すように、地中に埋設している水道管１は、分岐管２を連結している。分岐管２は、たとえば、消火栓と空気管と泥吐き部のいずれかである。水道管１は、これらの分岐管２を所定の間隔で連結している。これらの分岐管２は、先端を地上に設けている。本発明の水道管の洗浄方法は、水道管１に連結しているこれらの分岐管２を利用して、洗管ピグ３を分岐管２から水道管１に入れ、また水道管１を洗浄した洗管ピグ３を水道管１から外部に取り出す。これらの分岐管２は、先端を地面から表出させているので、ここから洗管ピグ３を水道管１に入れることによって、地面を掘り起こすことなく地中に埋設する水道管１に洗管ピグ３を入れることができ、また地中の水道管１から洗管ピグ３を外部に取り出しできる。水道管１に入れられた洗管ピグ３は、加圧流体で圧送されて水道管１の内部を移動する。移動する洗管ピグ３は、表面で水道管１の内面を擦り、水道管１の内面に付着する汚れや異物、あるいは錆等を除去して綺麗に洗浄する。
【００２３】
水道管１の特定の領域を洗管ピグ３で洗浄するとき、水道管１に洗管ピグ３を入れる分岐管２の外側と、水道管１から洗管ピグ３を取り出す分岐管２の外側を仕切弁８で閉塞する。一対の仕切弁８で水道管１の特定の領域を閉塞する状態で、図２に示すように、送り込み側の分岐管２から水道管１に向かってガイドベラ４０を挿入した後、この分岐管２に洗管ピグ３を入れ、この洗管ピグ３の背面に加圧流体を供給して、洗管ピグ３をガイドベラ４０の湾曲ガイド部４１で案内しながら、分岐管２から水道管１に移送し、さらに水道管１の内部を移動させる。水道管１を洗浄した洗管ピグ３は、図３に示すように、続いて供給される加圧流体で、水道管１から分岐管２に圧送され、この分岐管２から外部に排出される。このとき、取り出し側の分岐管２に水道管１に向かってガイドベラ４０を挿入し、ガイドベラ４０の湾曲ガイド部４１でもって、水道管１から分岐管２にスムーズに洗管ピグ３を移送する。
【００２４】
加圧流体で水道管１を圧送される洗管ピグ３は、表面で水道管１の内面を擦り洗いしながら移動する。汚れの甚だしい水道管１は、洗管ピグ３を水道管１内に複数回移送する。繰り返し水道管１の内部に圧送される洗管ピグ３は、通過する毎に水道管１の内面を擦り洗いして綺麗にする。したがって、洗管ピグ３を水道管１に通過させる回数を多くして、水道管１の内面をより綺麗に洗浄できる。
【００２５】
洗管ピグ３は、水道管１の内面に押圧される状態で移動して、水道管１の内面を綺麗に擦り洗いする。洗管ピグ３が水道管１の内面を押圧する力が弱くなると、能率よく擦り洗いできなくなる。したがって、洗管ピグ３は、弾性変形できる材料を水道管１の内径よりも太く加工して製作される。洗管ピグ３の外形と弾性は、水道管１内を圧送して移送でき、かつ水道管１の内面を所定の圧力で押圧して綺麗に擦り洗いできるように製作される。この洗管ピグ３は、水道管１の内部を圧送できるが、水道管１から細い分岐管２に移送するのが難しい。さらに分岐管２は、連結部９であるＴ字状のチーズを介して水道管１に連結されるので、水道管１から分岐管２に移送される洗管ピグ３は、水道管１と分岐管２の境界で移送方向を９０度変更する必要があり、このことが、洗管ピグ３の移送を難しくする。
【００２６】
水道管１から分岐管２に、また分岐管２から水道管１に洗管ピグ３をスムーズに移送するために、図２と図３の鎖線で示すように、分岐管２から水道管１に向かってガイドベラ４０が挿入される。ガイドベラ４０は、図４と図５に示すように、取り出し側の分岐管２や送り込み側の分岐管２から水道管１に向かって挿入されて、分岐管２から水道管１の底面に沿って湾曲する湾曲ガイド部４１を先端に設けている。
【００２７】
ガイドベラ４０は、弾性変形できる板材、たとえば硬質のプラスチックや金属板で制作される。ガイドベラ４０は、できる限り薄くして、洗管ピグ３をスムーズに移送できるようにする。ガイドベラ４０の厚さは、たとえば、２ｍｍ以下、好ましくは１ｍｍ以下とする。厚すぎると、洗管ピグ３を移送する分岐管２や水道管１の実質的な内径を細くして、スムーズに移送できなくなるからである。ただ、ガイドベラ４０が薄すぎると十分な強度を実現できず、移送する洗管ピグ３で曲がってスムーズに移送できなくなる。したがって、ガイドベラ４０は、洗管ピグ３を水道管１から分岐管２に、また分岐管２から水道管１にスムーズに案内するように、たとえば０．１ｍｍ以上、好ましくは０．２ｍｍ以上、さらに好ましくは０．５ｍｍ以上とする。ただし、ガイドベラ４０は、使用する材質により強度が異なるので、厚さを前述の範囲には特定しない。弾性金属板からなるガイドベラは、硬質プラスチックのガイドベラに比較して十分な強度を有するので、薄くして十分な強度を実現する。弾性変形する板材からなるガイドベラ４０は、分岐管２から水道管１に挿入するときに、先端の湾曲ガイド部４１を分岐管２を通過できる直線状に弾性変形できる。直線状に弾性変形されて分岐管２を通過する湾曲ガイド部４１は、分岐管２と水道管１との境界まで挿入されて、先端を水道管１の底面に接触させる位置まで挿入されると、水道管１の底面の水平面から分岐管２の内面の垂直面に沿って湾曲する形状に復元する。
【００２８】
ガイドベラ４０は、水道管１と分岐管２の境界に湾曲ガイド部４１を配置して、この湾曲ガイド部４１でもって、水道管１から分岐管２に、また分岐管２から水道管１に洗管ピグ３をスムーズに移送する。したがって、湾曲ガイド部４１は、図２ないし図５に示すように、先端の接線方向を水道管１の底面の水平方向として、他端の接線方向を分岐管２の内面の垂直方向とするように内側に湾曲している。湾曲ガイド部４１が湾曲する曲率半径（ｒ）は、好ましくは水道管１の直径（Ｄ1）にほぼ等しくする。曲率半径（ｒ）を水道管１の直径（Ｄ1）とする湾曲ガイド部４１は、水道管１から分岐管２に、また分岐管２から水道管１にスムーズに洗管ピグ３を移送できる。さらに、ガイドベラは、湾曲ガイド部の曲率半径（ｒ）を水道管の直径（Ｄ1）よりも大きくして、洗管ピグを水道管から分岐管に、また分岐管から水道管によりスムーズに移送できる。湾曲ガイド部の曲率半径（ｒ）を大きくするガイドベラは、弾性変形する板材で制作して、分岐管に挿入するときには、分岐管を通過できる直線状に弾性変形して、湾曲ガイド部を分岐管と水道管の境界まで挿入する。ただし、ガイドベラは、湾曲ガイド部の曲率半径（ｒ）を分岐管の直径（Ｄ2）に等しくし、さらに分岐管の直径（Ｄ2）よりも小さくして、洗管ピグを水道管から分岐管に、また分岐管から水道管に移送することもできる。したがって、本発明は、湾曲ガイド部の曲率半径（ｒ）を前記の範囲に特定するものではないが、好ましくは、湾曲ガイド部の曲率半径（ｒ）を大きくして、洗管ピグを水道管と分岐管にスムーズに移送する。
【００２９】
ガイドベラ４０は、図６に示すように、長手方向に直交する方向の断面形状である横断面形状を、分岐管２と水道管１の内面に沿う溝型に湾曲する形状としている。図のガイドベラ４０の幅（Ｗ）は、分岐管２と水道管１の全周の１／２に沿う幅よりも狭く、また分岐管２と水道管１の全周の１／４に沿う幅よりも広くしている。ただ、ガイドベラの幅（Ｗ）は、分岐管と水道管の全周の１／４に沿う幅よりも狭くすることもできる。ガイドベラ４０は、幅（Ｗ）を広くして、洗管ピグ３をスムーズに水道管１から分岐管２に、また分岐管２から水道管１に移送できる。ただ、ガイドベラは、幅（Ｗ）が広くなると、分岐管に通過させる湾曲ガイド部を、直線状に弾性変形させるのが難しくなる。反対にガイドベラは、幅（Ｗ）を狭くして、分岐管に通過させる湾曲ガイド部を直線状に弾性変形しやすくできる。このため、幅（Ｗ）の狭いガイドベラは、湾曲ガイド部の曲率半径（ｒ）を大きくできる。湾曲ガイド部の曲率半径（ｒ）が大きいことは、洗管ピグを水道管と分岐管とにスムーズに移送でき、またガイドベラの幅（Ｗ）が狭いことは、洗管ピグを水道管と分岐管とにスムーズに移送するのを難しくする。したがって、ガイドベラ４０の幅（Ｗ）は、湾曲ガイド部４１の曲率半径（ｒ）を考慮し、さらにガイドベラ４０の材質等を考慮して最適値に設定される。
【００３０】
さらに、図１８ないし図２０に示すガイドベラ４０は、湾曲ガイド部４１を、縦に伸びる複数の切り込み４６でもって複数の櫛片４７に分割している。図のガイドベラ４０は、湾曲ガイド４１を７本に分割する櫛片４７としている。ただし、ガイドベラは、湾曲ガイド部を４〜１５本に分割された櫛片とすることもできる。このガイドベラ４０は、所定の幅の弾性金属板で製作される。所定の幅の弾性金属板は、横断面形状を分岐管２と水道管１の内面に沿う溝型に湾曲する形状としている。このガイドベラ４０は、金属板の幅（Ｗ）を、分岐管２の全周の１／２に沿う幅よりも狭く、また分岐管２の全周の１／４に沿う幅よりも広くしている。分割された複数の櫛片４７からなる湾曲ガイド部４１は、後端から先端に向かって次第に切り込み４６の横幅を広くする形状に弾性的に拡開している。弾性的に拡開される櫛片４７の先端の全幅（Ｈ）は、水道管１の全周に沿う幅の約半分としている。ただし、拡開される櫛片の先端の全幅（Ｈ）は、水道管の全周に沿う幅の約１／４よりも広く、３／４よりも狭くすることができる。
【００３１】
以上のガイドベラ４０は、図１９の矢印で示すように、櫛片４７の切り込み幅を狭くするように変形させて全体の横幅を狭くして、湾曲ガイド部４１を分岐管２から水道管１に挿入する。複数の櫛片４７に分割された湾曲ガイド部４１は、分岐管２から太い水道管１に挿入されると、櫛片４７が弾性復元力で水道管１の内部で拡開される。水道管１に挿入されてその内部で櫛片４７を拡開状態とする湾曲ガイド部４１は、太い水道管１から細い分岐管２に洗管ピグ３をスムーズに案内し、また、細い分岐管２から太い水道管１に洗管ピグ３をスムーズに案内する。それは、分割された櫛片４７が、分岐管２から水道管１に次第に拡開して、洗管ピグ３を分岐管２から水道管１に、また水道管１から分岐管２に案内するからである。このガイドベラ４０は、分岐管２から引き上げるときに、分割された櫛片４７が互いに接近するように弾性変形して、水道管１よりも細い分岐管２からスムーズに引き抜きできる。
【００３２】
図２と図３に示すガイドベラ４０は、送り込み側の分岐管２あるいは取り出し側の分岐管２の開口端に連結された補修弁２８に、両フランジ短管１０を介して三フランジＹ字管１１を連結した後、三フランジＹ字管１１の直管１１Ａから、水道管１に向かって挿入している。このガイドベラ４０は、詳細には後述するが、洗管ピグ３を送り込み側の分岐管２から水道管１に移送するときに、送り込み側の分岐管２に挿入され、水道管１を洗浄した洗管ピグ３を、水道管１から取り出し側の分岐管２に移送させるときに、取り出し側の分岐管２に挿入される。したがって、ひとつのガイドベラ４０を使用して、送り込み側の分岐管２と取り出し側の分岐管２の両方に使用しながら水道管１を洗浄できる特長がある。
【００３３】
ただ、本発明は、送り込み側の分岐管と取り出し側の分岐管の所定の位置にガイドベラを固定した状態で、洗管ピグを水道管内で移送して洗浄することもできる。このことを実現するガイドベラの一例を、図７ないし図１０に示す。これらの図に示すガイドベラ４０は、上端部の外周に沿って、水平方向に延びる鍔部４２を設けている。このガイドベラ４０は、図７、図８、図１１及び図１２に示すように、分岐管２の開口端に連結された補修弁２８の上端のフランジ２８ｂと、両フランジ短管１０の下端のフランジ１０ｂとで鍔部４２を挟着して定位置に固定される。このガイドベラ４０は、鍔部４２から湾曲ガイド部４１の先端までの長さ（Ｔ）が、挟着される補修弁２８の上端から水道管１の底面までの距離と等しくなるように設計される。この構造で分岐管２に挿入されて、定位置に固定されるガイドベラ４０は、洗管ピグ３を分岐管２から水道管１に、又は水道管１から分岐管２に移送させる場合においても、ガイドベラ４０の位置がずれることなく、洗管ピグ３を確実に案内して、能率良く移送できる。
【００３４】
さらに、図７ないし図９に示すガイドベラ４０は、鍔部４２よりも上端部を、上端に向かって広がるテーパー状に成形している。このように、上端部をテーパー部４３とするガイドベラ４０は、図に示すように、テーパー部４３の外周面を、両フランジ短管１０のテーパー管１９ａの内面に沿う状態で配置できる。このガイドベラ４０は、とくに、送り側において、テーパー部４３の内面に沿って、洗管ピグ３を無理なく分岐管２に移送できる特長がある。ただ、ガイドベラは、必ずしも上端部にテーパー部を設ける必要はない。
【００３５】
さらに、図７ないし図９に示すガイドベラ４０は、補修弁２８の弁本体２８ａに挿入される部分を細く成形して幅狭部４４としている。これは、分岐管２の内径よりも細い補修弁２８の弁本体２８ａの内面に沿ってガイドベラ４０を配置するためである。このように、幅狭部４４を有するガイドベラ４０は、幅狭部４４の外周面を補修弁２８の弁本体２８ａの内面に沿う状態で無理なく配置して、洗管ピグをスムーズに移送できる。ただ、ガイドベラは、必ずしもこの幅狭部を設ける必要はない。たとえば、補修弁の弁本体の内径が分岐管の内径と等しい場合は、幅狭部を設けることなく、ガイドベラの外周面を補修弁の内面に沿う状態で配置でき、また、弁本体の内径が分岐管の内径より細い場合においても、弾性変形するガイドベラによって、ガイドベラの外周面を弁本体の内面に沿う状態で配置できるからである。
【００３６】
さらに、図７ないし図１０に示すガイドベラ４０は、分岐管２に挿入した状態で、分岐管２の内面と対向する本体部４５の幅（Ｗ）を分岐管２の全周のほぼ１／２に沿う幅としている。さらに、このガイドベラ４０は、図７と図１０に示すように、湾曲ガイド部４１における幅を狭くして、湾曲ガイド部４１を板状に近似させている。この形状のガイドベラ４０は、ここを通過する洗管ピグ３をスムーズに方向転換させて、水道管１から分岐管２に、あるいは分岐管２から水道管１に速やかに移送できる特長がある。さらに、このガイドベラ４０は、分岐管２に挿入するときに、湾曲ガイド部４１を無理なく直線状に弾性変形できる特長がある。ただ、ガイドベラは、湾曲ガイド部における幅を狭くすることなく、全体の幅を等しくすることもできる。
【００３７】
さらに、図７のガイドベラ４０は、湾曲ガイド部４１の曲率半径（ｒ）を、分岐管２の直径（Ｄ2）にほぼ等しくしている。このガイドベラ４０は、分岐管２に挿通するときに、先端の湾曲ガイド部４１を直線状に弾性変形させることなく挿入でき、あるいは、弾性変形させる量を少なくできる特長がある。ただ、湾曲ガイド部の曲率半径（ｒ）は、これよりも小さくすることも、大きくすることもできる。
【００３８】
さらに、図１３と図１４は、太い水道管１から細い分岐管２によりスムーズに移送できる独特の構造の洗管ピグ３を示す。この図の洗管ピグ３は、本体ピグ４と、この本体ピグ４の先端に、折曲部６を介して連結している本体ピグ４よりも小さい外形のガイドピグ５とを備える。
【００３９】
本体ピグ４は、弾性変形材を円柱状に加工した弾性柱の表面に研磨層７を設けている。図の本体ピグ４は、先端部をテーパー状に細くしている。この本体ピグ４は、凹凸のある水道管１の内部をスムーズに引っかかることなく圧送される。また、分岐管２から水道管１に、また水道管１から分岐管２にスムーズに移送される。弾性柱の弾性変形材は、ウレタン樹脂やＥＶＡ等の軟質の合成樹脂発泡体である。合成樹脂発泡体は独立気泡を有する発泡体、または連続気泡を有する発泡体である。独立気泡を有する合成樹脂発泡体は、液体や気体の透過が少なく、加圧流体を透過させないので効率よく圧送できる。また、連続気泡の合成樹脂発泡体は、変形率を大きくして、水道管から細い分岐管にスムーズに移送できる。弾性変形材は、合成樹脂発泡体に代わって、ゴム状弾性体を気密に閉塞して、内部に気体を充填する構造等とすることもできる。
【００４０】
弾性柱の表面に設けている研磨層７は、繊維表面に研磨粒を付着した不織布が使用できる。この研磨層７は凹部のある水道管１の内面に面接触して、水道管１の内面を綺麗に擦り洗いできる。ただ、研磨層は、弾性柱の表面に研磨粒を付着して設けることもできる。また、本体ピグは、弾性柱を成形する合成樹脂発泡体に研磨粒を添加して発泡成形して、弾性柱の全体に研磨粒を分布することもできる。この本体ピグは、摩耗して小さくなっても、次々と表面に新しい研磨層ができるので、摩耗しても効果的に擦り洗いできる。
【００４１】
本体ピグ４は、水道管１の内面に圧送されて擦り洗いできるように、外径を水道管１の内径よりも大きく、たとえば水道管１の内径の１．２倍以上、さらに好ましくは１．５倍以上とする。本体ピグが太すぎると、水道管１内をスムーズに圧送できなくなり、また水道管１から細い分岐管２への移動が難しくなる。したがって、本体ピグ４の外径は、たとえば水道管１の内径の３倍以下、好ましくは２倍以下とする。本体ピグ４の水道管１に対する外径は、弾性柱に柔軟な弾性変形材を使用する場合は太くし、反対に硬い弾性変形材を使用する場合は細くする。また、水道管内の汚れの程度が甚だしく、実質的な内径が細くなっている水道管には、最初に細い本体ピグを圧送して擦り洗いし、次第に太い本体ピグを圧送して綺麗に擦り洗いする。したがって、本体ピグの外径は、弾性柱の弾性と水道管の内径と水道管の汚れの程度を考慮して最適な太さに設計される。
【００４２】
以上の洗管ピグ３は、折曲部６を、可撓性のある軟質ウレタン樹脂等の軟質プラスチックをロッド状に成形したものとしている。プラスチックでロッド状に成形している折曲部６は、一端を本体ピグ４に埋設して連結し、他端をガイドピグ５に埋設して連結している。この折曲部６は、本体ピグ４とガイドピグ５に埋設する部分に複数の枝６Ａを突出するように設けている。この形状の折曲部６は、本体ピグ４とガイドピグ５に抜けないように連結できる。
【００４３】
ロッド状の折曲部６は、本体ピグ４とガイドピグ５とを離して連結すると共に、細長いロッド部を曲がりやすくする。この構造の洗管ピグ３は、ガイドピグ５と本体ピグ４を分岐管２から水道管１に、また水道管１から分岐管２にスムーズに移送できる。とくに、水道管１から細い分岐管２にスムーズにガイドピグ５と本体ピグ４を移送できる。それは、分岐管２にガイドピグ５があって、本体ピグ４が水道管１にある状態で、分岐管２のガイドピグ５が加圧流体に圧送されて、折曲部６を介して水道管１内の本体ピグ４を引っ張って分岐管２に移送できるからである。また、ガイドピグ５が水道管１から分岐管２に移送されるときに、細長いロッド状の折曲部６が曲がりやすく、ガイドピグ５を水道管１から分岐管２にスムーズに移送できる効果もある。さらに、ロッド状の折曲部６は、ガイドピグ５が分岐管２に、本体ピグ４が水道管１内にあるとき、本体ピグ４が加圧流体で圧送されてロッド状の折曲部６を後ろから押すことも、ガイドピグ５と本体ピグ４をスムーズに移送することに効果がある。
【００４４】
ただし、洗管ピグは、折曲部をロッド状には特定しない。折曲部は、たとえば、図示しないが、自由に変形できる紐状とすることもできる。紐状の折曲部は、ガイドピグが分岐管にある状態で、本体ピグを水道管に位置させる長さ、たとえば本体ピグの外径よりも長くする。折曲部を紐状とする洗管ピグは、加圧流体で圧送される分岐管のガイドピグが、紐状の折曲部を介して水道管の本体ピグを引っ張って、水道管から分岐管に移送させる。紐状の折曲部は、変形しやすいので、ガイドピグが水道管から分岐管に移送するときに曲がりやすく、ガイドピグを水道管から分岐管にスムーズに移送できる。
【００４５】
さらに、洗管ピグ３は、折曲部６を、本体ピグ４とガイドピグ５に一体構造とすることもできる。図１５に示す洗管ピグ３は、本体ピグ４と折曲部６とガイドピグ５の全体を合成樹脂発泡体で一体的に成形している。この構造は、安価に多量生産できる。この折曲部６は、本体ピグ４とガイドピグ５を成形する合成樹脂発泡で成形される。この洗管ピグ３は、折曲部６をガイドピグ５よりも細く成形して、曲がりやすくしている。
【００４６】
ガイドピグ５は、水道管１を洗浄するためのものではなく、本体ピグ４を水道管１から分岐管２に引っ張り上げるために設けている。したがって、ガイドピグ５は、分岐管２内をスムーズに圧送される外径に製作される。水道管１に連結している分岐管２の内径は、ほとんどが７５ｍｍである。ガイドピグ５は、この内径の分岐管２に加圧流体で圧送されるように、外径を８０ｍｍ〜１５０ｍｍとする。ガイドピグ５は、本体ピグ４と同じように、分岐管２の内面に弾性的に押圧される状態で、加圧流体に圧送される。
【００４７】
ガイドピグ５は、本体ピグ４と同じように、弾性変形材を円柱状に加工して製作される。弾性変形材は、ウレタン樹脂やＥＶＡ等の軟質の合成樹脂発泡体である。弾性変形材は、合成樹脂発泡体に代わって、ゴム状弾性体を気密に閉塞して、内部に気体を充填する構造とすることもできる。図のガイドピグ４は円柱状としているが、ガイドピグは、必ずしも円柱状とする必要はなく、分岐管内をスムーズに圧送できる他の外形とすることもできる。ガイドピグは、図示しないが、球形状とすることもできる。球形状のガイドピグは、外径である直径を８０ｍｍ〜１５０ｍｍとすることができる。さらに、ガイドピグは、側面の一部にテーパー面を有する円柱状や円錐台形状とすることもできる。これらのガイドピグも、底面の外径を８０ｍｍ〜１５０ｍｍとして分岐管内をスムーズに圧送できる。
【００４８】
以上の構造の洗管ピグ３は、本体ピグ４の先端に折曲部６を介して本体ピグ４よりも小さい外形のガイドピグ５を連結した構造としている。この構造の洗管ピグ３は、水道管１から分岐管２に移送する状態において、細い分岐管２にガイドピグ５があって、本体ピグ４が水道管１にある状態で、分岐管２のガイドピグ５を加圧流体で圧送させて、折曲部６を介して水道管１内の本体ピグ４を引っ張って分岐管２に移送できる。また、分岐管２から水道管１に移送する状態において、分岐管２に本体ピグ４があって、ガイドピグ５が水道管１に侵入する状態で、ガイドピグ５を優先して水道管１内で移送させて、折曲部６を介して本体ピグ４を引っ張って水道管１に移送できる。したがって、以上の構造の洗管ピグ３は、水道管１から細い分岐管２に、また分岐管２から水道管１にスムーズに洗管ピグ３を移送させて効率よく洗浄できる。ただ、本発明は、洗管ピグを以上の構造に特定しない。それは、本発明の洗浄方法が、分岐管２から水道管１の連結部９に向かってガイドベラ４０を挿入し、このガイドベラ４０の湾曲ガイド部４１に沿って洗管ピグ３を案内するからである。したがって、本発明は、図１６と図１７に示すように、ガイドピグのない洗管ピグ３を使用して、洗管ピグ３を水道管１から分岐管２に、また分岐管２から水道管１にスムーズに移送して、水道管１を効率よく洗浄することもできる。
【００４９】
本発明の洗浄方法は、以下のようにして地中に埋設している水道管１を洗浄する。
（１）洗管ピグ３で洗浄する領域の両側、すなわち送り込み側の分岐管２の外側と、取り出し側の分岐管２の外側に連結している仕切弁８を閉弁する。
（２）分岐管２の上端に連結された補修弁２８と消火栓等を連結しているフランジの止ネジを外して、送り込み側と取り出し側の消火栓等を外して、分岐管２に連結された補修弁２８の上端を開口する。
（３）図２に示すように、送り込み側の分岐管２に連結された補修弁２８の開口端に、両フランジ短管１０を介して三フランジＹ字管１１を連結する。さらに、図３に示すように、取り出し側の分岐管２に連結された補修弁２８の開口端に、両フランジ短管１０を介して三フランジＹ字管１１を連結する。
【００５０】
両フランジ短管１０は、テーパー管１０ａの両端にフランジ１０ｂを設けている。テーパー管１０ａは、分岐管２に向かって内径を次第に細くして、三フランジＹ字管１１から挿入される洗管ピグ３を分岐管２に無理なく案内する。したがって、このテーパー管１０ａは、下端の内径を分岐管２と同じとし、上端の内径を、三フランジＹ字管１１の下端と同じ内径としている。たとえば、図２の三フランジＹ字管１１は、下端の内径を１００ｍｍとするので、テーパー管１０ａは、上端の内径を１００ｍｍ、下端の内径を７５ｍｍとしている。三フランジＹ字管１１は、下端の内径を１００ｍｍ、上端と分岐端の内径を１２５ｍｍとしている。
【００５１】
送り込み側の三フランジＹ字管１１は、直管１１Ａの上端に開閉弁１２を介して、加圧流体源２４に連結するカップリング１３を連結している。分岐管１１Ｂの開口端にも開閉弁１４を介して加圧流体源２５に連結するカップリング１５を連結している。三フランジＹ字管１１には圧力計１６を連結して、加圧流体の圧力を検出するようにしている。
【００５２】
取り出し側の三フランジＹ字管１１は、直管１１Ａの上端に開閉弁１７を介してチーズ１８を連結し、チーズ１８の開口端に開閉弁１９、２０を介して、加圧流体源２６に連結するカップリング２１と、真空装置２７に連結するカップリング２２とを連結している。分岐管１１Ｂの開口端には仕切弁２３を連結している。この三フランジＹ字管１１も圧力計１６を連結して、加圧流体の圧力を検出するようにしている。
【００５３】
図７ないし図９に示すように、上端部の外周に沿って鍔部４２を設けたガイドベラ４０は、分岐管２に補修弁２８と両フランジ短管１０を連結する工程で、分岐管２に挿入されて、定位置に固定される。このガイドベラ４０は、分岐管２の上端に連結された補修弁２８の開口端から挿入される。このとき、送り込み側の分岐管２の挿入するガイドベラ４０は、湾曲ガイド部４１の先端が取り出し側の分岐管２の方向を向く姿勢で挿入する。また、取り出し側の分岐管２の挿入するガイドベラ４０は、湾曲ガイド部４１の先端が送り込み側の分岐管２の方向を向く姿勢で挿入する。補修弁２８の開口端から挿入されたガイドベラ４０は、図１１と図１２に示すように、補修弁２８の上端のフランジ２８ｂと、両フランジ短管１０の下端のフランジ１０ｂとで鍔部４２を挟着する状態で定位置に固定される。このように、外周面から突出する鍔部４２が挟着されて固定されるガイドベラ４０は、水圧で洗管ピグ３を移送させる状態において、ガイドベラ４０の位置が移動することなく、洗管ピグ３をスムーズに移送させて能率良く洗浄できる。鍔部のないガイドベラは、以下に示すようにして使用される。
【００５４】
（４）送り込み側の三フランジＹ字管１１の直管１１Ａを開口して、水道管１に向かってガイドベラ４０を挿入する。ガイドベラ４０は、湾曲ガイド部４１の先端が取り出し側の分岐管２の方向を向く姿勢で挿入する。このとき、湾曲ガイド部４１の先端部を直線状に弾性変形させて挿入する。また、図１８ないし図２０に示すガイドベラ４０は、図１９の矢印で示すように、櫛片４７の切り込み幅を狭くするように湾曲ガイド部４１を変形させて全体の横幅を狭くして、湾曲ガイド部４１を分岐管２から水道管１に挿入する。ガイドベラ４０は、湾曲ガイド部４１の先端が水道管１の底面に接触する位置まで挿入する。この状態でガイドベラ４０の湾曲ガイド部４１は、分岐管２の内面の垂直面から、水道管１の底面の水平面に沿って湾曲する形状に復元する。また、複数の櫛片４７に分割された湾曲ガイド部４１は、図１９と図２０に示すように、太い水道管１に挿入されると、櫛片４７が弾性復元力で水道管１の内部で拡開される。
【００５５】
（５）送り込み側の分岐管２の所定の位置にガイドベラ４０をセットした状態で、送り込み側の三フランジＹ字管１１の直管１１Ａから洗管ピグ３を入れた後、直管１１Ａの開口端を閉塞する。
図１１に示すように、鍔部４２を補修弁２８と両フランジ短管１０との間に固定して、ガイドベラ４０を送り込み側の分岐管２の所定の位置にセットしている送り込み側の三フランジＹ字管１１は、分岐管１１Ｂから洗管ピグ３を入れ、洗管ピグ３を押して直管１１Ａまで押し込んだ後、分岐管１１Ｂを閉塞することもできる。図１１の三フランジＹ字管１１は、分岐管１１Ｂに開閉弁１４を介してカップリング１５を連結しているので、このカップリング１５を介して分岐管１１Ｂを加圧空気源２５のコンプレッサに連結し、コンプレッサ２５から加圧空気を供給して、洗管ピグ３を直管１１Ａまで押し込むことができる。
【００５６】
（６）その後、送り込み側の三フランジＹ字管１１の上端に設けているカップリング１３を介して加圧流体源２４に連結し、加圧流体源２４から加圧流体を供給する。加圧流体源２４はコンプレッサである。コンプレッサである加圧流体源２４は、加圧流体として加圧空気を供給する。供給された加圧空気は、図２に示すように、洗管ピグ３を、三フランジＹ字管１１と両フランジ短管１０と分岐管２に通過させ、さらに分岐管２から水道管１に圧送する。水道管１は分岐管２よりも太いので、洗管ピグ３は分岐管２から水道管１に無理なく圧送される。このとき、分岐端のカップリング１５を加圧流体源２５であるコンプレッサに連結して、ここから三フランジＹ字管１１に加圧空気を供給することもできる。
【００５７】
（７）送り込み側の三フランジＹ字管１１から供給される加圧流体は、洗管ピグ３を送り込み側の分岐管２から水道管１へ移送させる。このとき、洗管ピグ３は、送り込み側の分岐管２に挿入されたガイドベラ４０の湾曲ガイド部４１に沿って、分岐管２から水道管１へスムーズに移送される。さらに、送り込み側の三フランジＹ字管１１から加圧流体を供給して、洗管ピグ３を送り込み側から取り出し側に圧送する。
【００５８】
（８）洗管ピグ３が取り出し側に圧送されると、送り込み側からの加圧空気の供給を停止する。その後、洗管ピグ３を取り出し側から送り込み側に逆方向に圧送して水道管１の内面をさらに擦り洗いする。このとき、取り出し側の三フランジＹ字管１１に連結しているカップリング１９を加圧流体源２６のコンプレッサに連結し、送り込み側の三フランジＹ字管１１に連結している開閉弁１４を開いて空気を排気できる状態とする。取り出し側から供給される加圧流体は、洗管ピグ３を取り出し側から送り込み側に逆方向に圧送する。この状態で、取り出し側から送り込み側に逆移送された洗管ピグ３は、その後、再び、送り込み側から取り出し側に圧送される。洗管ピグ３を、送り込み側と取り出し側に繰り返し往復させて、水道管１の内面はより綺麗に擦り洗いされる。水道管１の内面を往復するように圧送される洗管ピグ３は、本体ピグ４の表面に設けている研磨層７で水道管１の内面を擦り洗いする。
【００５９】
（９）水道管１の内面を往復して綺麗に擦り洗いした洗管ピグ３は、取り出し側の三フランジＹ字管１１から外部に取り出される。このとき、取り出し側の三フランジＹ字管１１の直管１１Ａを開口して、水道管１に向かってガイドベラ４０を挿入する。ガイドベラ４０は、湾曲ガイド部４１の先端が送り込み側の分岐管２の方向を向く姿勢で挿入する。このとき、湾曲ガイド部４１の先端部を直線状に弾性変形させて挿入する。また、図１８ないし図２０に示すガイドベラ４０は、図１９の矢印で示すように、櫛片４７の切り込み幅を狭くするように湾曲ガイド部４１を変形させて全体の横幅を狭くして、湾曲ガイド部４１を分岐管２から水道管１に挿入する。ガイドベラ４０は、湾曲ガイド部４１の先端が水道管１の底面に接触する位置まで挿入する。この状態でガイドベラ４０の湾曲ガイド部４１は、分岐管２の内面の垂直面から、水道管１の底面の水平面に沿って湾曲する形状に復元する。また、複数の櫛片４７に分割された湾曲ガイド部４１は、図１９と図２０に示すように、太い水道管１に挿入されると、櫛片４７が弾性復元力で水道管１の内部で拡開される。
ただ、取り出し側の分岐管２に挿入するガイドベラ４０は、送り出し側の分岐管２に洗管ピグ３を挿入する前に挿入することも、送り出し側の分岐管２に洗管ピグ３を挿入した後、洗管ピグ３を移送して水道管１を洗浄する前に挿入することもできる。
【００６０】
（１０）取り出し側の分岐管２の所定の位置にガイドベラ４０をセットした状態で、送り込み側から加圧流体を供給して、洗管ピグ３を水道管１から分岐管２に移送する。このとき、洗管ピグ３は、取り出し側の分岐管２に挿入されたガイドベラ４０の湾曲ガイド部４１に沿って、水道管１から分岐管２へスムーズに移送される。このとき、取り出し側の三フランジＹ字管１１に連結している真空装置２７で空気を強制的に排出して、洗管ピグ３を水道管１から分岐管２にスムーズに移送することができる。
図２と図３に示す洗管ピグ３は、本体ピグ４の先端に連結しているガイドピグ５が本体ピグ４よりも細く、また折曲部６を介して本体ピグ４に連結しているので、このガイドピグ５に先導されて水道管１から分岐管２にスムーズに移送される。分岐管２に移送されるガイドピグ５は、送り込み側から供給される加圧空気に圧送されて、分岐管２を上昇する。このときも、取り出し側の三フランジＹ字管１１に連結している真空装置２７で空気を強制的に排気して、ガイドピグ５をスムーズに分岐管２に上昇できる。分岐管２を上昇するガイドピグ５は、折曲部６を介して本体ピグ４を引っ張って、水道管１から分岐管２に移送する。
また、図１６と図１７に示す洗管ピグ３は、送り込み側から供給される加圧空気に圧送されて、ガイドベラ４０の湾曲ガイド部４１に沿って、水道管１から分岐管２へスムーズに移送される。
【００６１】
（１１）分岐管２に移送された洗管ピグ３は、加圧空気で分岐管２を上昇する方向に圧送され、取り出し側の分岐管２から外部に排出される。
さらに、このとき、取り出し側の分岐管２に挿入されたガイドベラ４０を分岐管２から引き出しながら、洗管ピグ３を外部に排出することもできる。とくに、ガイドベラ４０は、先端部に湾曲ガイド部４１を設けているので、この湾曲ガイド部４１で洗管ピグ３の後端を引き上げながら、洗管ピグ３をスムーズに外部に排出できる。
【００６２】
以上のように加圧流体に加圧空気を使用すると、洗管ピグ３を速やかに分岐管２と水道管１に圧送できる。ただし、加圧流体には加圧液体、すなわち水を加圧して供給することもできる。この場合、加圧流体源は、水を加圧して排出できるタービンポンプ等の水ポンプである。
【００６３】
以上の実施例は、消火栓と空気管と泥吐き部のいずれかからなる分岐管２を使用して、洗管ピグ３を水道管１に入れ、また排出するので、水道管１に洗管ピグ３を出し入れする分岐管２を連結する必要がない。ただ、本発明の洗浄方法は、水道管に、これよりも細い分岐管を連結して、この連結された分岐管から洗管ピグを水道管に出し入れすることもできる。この場合、本発明の洗管ピグは、水道管よりも細い分岐管を利用して、水道管に出し入れできることから、水道管に細い分岐管を連結し、この分岐管から出し入れできる。したがって、水道管に分岐管を連結するとしても、細い分岐管を連結するので、分岐管の連結を簡単に経済的にできる。
【図面の簡単な説明】
【００６４】
【図１】本発明の一実施例にかかる水道管の洗浄方法を示す概略断面図である。
【図２】図１に示す水道管に連結している送り込み側の分岐管を示す拡大断面図である。
【図３】図１に示す水道管に連結している取り出し側の分岐管を示す拡大断面図である。
【図４】本発明の一実施例にかかるガイドベラを分岐管に挿入した状態を示す斜視図である。
【図５】図４に示すガイドベラの垂直断面図である。
【図６】ガイドベラを分岐管に挿入した状態を示す水平断面図である。
【図７】本発明の他の実施例にかかるガイドベラの垂直断面図である。
【図８】図７に示すガイドベラの正面図である。
【図９】図７に示すガイドベラの平面図である。
【図１０】図７に示すガイドベラの湾曲ガイド部を示す断面斜視図である。
【図１１】図７に示すガイドベラを送り込み側の分岐管に挿入する状態を示す断面図である。
【図１２】図７に示すガイドベラを取り出し側の分岐管に挿入する状態を示す断面図である。
【図１３】洗管ピグの一例を示す斜視図である。
【図１４】図１３に示す洗管ピグの断面図である。
【図１５】洗管ピグの他の一例を示す断面図である。
【図１６】本発明の他の実施例にかかる水道管の洗浄方法を示す概略図であって、送り込み側の分岐管を示す断面図である。
【図１７】本発明の他の実施例にかかる水道管の洗浄方法を示す概略図であって、取り出し側の分岐管を示す断面図である。
【図１８】本発明の他の実施例にかかるガイドベラの湾曲ガイド部を示す垂直断面図である。
【図１９】図１８に示すガイドベラの湾曲ガイド部の正面図である。
【図２０】図１８に示すガイドベラの湾曲ガイド部の斜視図である。
【符号の説明】
【００６５】
１…水道管
２…分岐管
３…洗管ピグ
４…本体ピグ
５…ガイドピグ
６…折曲部                ６Ａ…枝
７…研磨層
８…仕切弁
９…連結部
１０…両フランジ短管      １０ａ…テーパー管
１０ｂ…フランジ
１１…三フランジＹ字管    １１Ａ…直管
１１Ｂ…分岐管
１２…開閉弁
１３…カップリング
１４…開閉弁
１５…カップリング
１６…圧力計
１７…開閉弁
１８…チーズ
１９…開閉弁
２０…開閉弁
２１…カップリング
２２…カップリング
２３…仕切弁
２４…加圧流体源
２５…加圧流体源
２６…加圧流体源
２７…真空装置
２８…補修弁              ２８ａ…弁本体
２８ｂ…フランジ
４０…ガイドベラ
４１…湾曲ガイド部
４２…鍔部
４３…テーパー部
４４…幅狭部
４５…本体部
４６…切り込み
４７…櫛片
【図１】
2008175046.tif 000003
【図２】
2008175046.tif 000004
【図３】
2008175046.tif 000005
【図４】
2008175046.tif 000006
【図５】
2008175046.tif 000007
【図６】
2008175046.tif 000008
【図７】
2008175046.tif 000009
【図８】
2008175046.tif 000010
【図９】
2008175046.tif 000011
【図１０】
2008175046.tif 000012
【図１１】
2008175046.tif 000013
【図１２】
2008175046.tif 000014
【図１３】
2008175046.tif 000015
【図１４】
2008175046.tif 000016
【図１５】
2008175046.tif 000017
【図１６】
2008175046.tif 000018
【図１７】
2008175046.tif 000019
【図１８】
2008175046.tif 000020
【図１９】
2008175046.tif 000021
【図２０】
2008175046.tif 000022